(57)【要約】      （修正有）【課題】ガイドローラへの負担を防止し、パネルの開放位置の調整が可能なパネルシャッタを提供する。【解決手段】所要数のパネル８を屈曲自在に連結して構成されたシャッタカーテン９と、両端部に巻取ドラム１３が設けられ、バランススプリングにより巻取方向に付勢されたシャフト６と、前記巻取ドラムに巻設され前記シャッタカーテンに係着されたワイヤ１４とを有し、該ワイヤの巻取り、巻解しによって開口部１を開閉するパネルシャッタに於いて、前記巻取ドラムはワイヤ巻取始端からワイヤ巻取終端に向って順次径が小さくなる大円錐台部と、該大円錐台部に連続する円柱部と、該円柱部に連続し、ワイヤ巻取終端に向って順次径が大きくなる小円錐台部とを有し、前記大円錐台部と前記円柱部と前記小円錐台部の周面に連続する溝が形成され、前記ワイヤが前記円柱部の巻取終端に位置する状態で、前記シャッタカーテンの開状態が維持される様構成した。【選択図】図１
2011122372.tif 000002
【特許請求の範囲】
【請求項１】
所要数のパネルを屈曲自在に連結して構成されたシャッタカーテンと、両端部に巻取ドラムが設けられ、バランススプリングにより巻取方向に付勢されたシャフトと、前記巻取ドラムに巻設され前記シャッタカーテンに係着されたワイヤとを有し、該ワイヤの巻取り、巻解しによって開口部を開閉するパネルシャッタに於いて、前記巻取ドラムはワイヤ巻取始端からワイヤ巻取終端に向って順次径が小さくなる大円錐台部と、該大円錐台部に連続する円柱部と、該円柱部に連続し、ワイヤ巻取終端に向って順次径が大きくなる小円錐台部とを有し、前記大円錐台部と前記円柱部と前記小円錐台部の周面に連続する溝が形成され、前記ワイヤが前記円柱部の巻取終端に位置する状態で、前記シャッタカーテンの開状態が維持される様構成したことを特徴とするパネルシャッタ。
【請求項２】
前記巻取ドラムは分割構造であり、前記円柱部が前記大円錐台部、又は前記小円錐台部のいずれか一方に形成された請求項１のパネルシャッタ。
【請求項３】
前記巻取ドラムは分割構造であり、前記大円錐台部と前記円柱部、前記小円錐台部とに分割された請求項１のパネルシャッタ。
【請求項４】
前記円柱部に取付け可能なワイヤストッパを更に有し、該ワイヤストッパはワイヤ巻取終端に向って順次径が大きくなるリング形状であり、前記円柱部に取付けた際には前記ワイヤストッパが小円錐台部を形成する請求項１のパネルシャッタ。
【発明の詳細な説明】
【技術分野】
【０００１】
本発明は、所要数のパネルを屈曲自在に連結して構成されたシャッタカーテンにより、建屋等の構築構造物の出入口等の開口部を開閉するパネルシャッタに関するものである。
【背景技術】
【０００２】
建屋等の構築構造物の出入口等の開口部を開閉する開閉手段としてシャッタ装置がある。シャッタ装置としては、例えば、シャッタカーテンが所要数のパネルを屈曲自在に連結して構成されたパネルシャッタがあり、更にシャッタカーテンが天井面に沿って格納されるオーバヘッドドアがある。
【０００３】
図６、図７により、オーバヘッドドア、特に開口部から天井にかけて充分な空間を有するオーバヘッドドアの概略を説明する。
【０００４】
建屋等の構築構造物の開口部１の両側柱２に沿って、垂直ガイドレール３が設けられ、天井に沿って水平ガイドレール４が設けられ、前記垂直ガイドレール３と前記水平ガイドレール４とは湾曲レール５によって連結されている。前記垂直ガイドレール３の上方には、水平な巻取シャフト６を具備する開閉装置７が設けられている。
【０００５】
所要数のパネル８が屈曲自在に連結されてシャッタカーテン９が構成され、前記パネル８の両側端にはガイドローラ１１が設けられ、該ガイドローラ１１は前記垂直ガイドレール３、前記湾曲レール５、前記水平ガイドレール４に転動自在に嵌合し、前記シャッタカーテン９は前記ガイドローラ１１を介して前記垂直ガイドレール３、前記湾曲レール５、前記水平ガイドレール４に沿って昇降可能となっている。
【０００６】
前記巻取シャフト６はブラケット１２により回転自在に支持され、図示しない開閉モータ等の駆動装置により回転される様になっている。前記巻取シャフト６の両端部にはドラム１３が設けられ、該ドラム１３に巻付けられたワイヤ１４が前記シャッタカーテン９の下端部に係着されている。又、前記巻取シャフト６にはバランススプリング１５が設けられ、該バランススプリング１５は前記ドラム１３を前記ワイヤ１４を巻取る方向に回転力を付与し、該ワイヤ１４を介して前記シャッタカーテン９に開方向の力を与え、該シャッタカーテン９の開閉力を軽減している。
【０００７】
前記開口部１が開かれる場合は、前記巻取シャフト６を介し前記ドラム１３が回転されることで前記ワイヤ１４が巻取られ、前記シャッタカーテン９が前記垂直ガイドレール３に沿って引上げられ、更に前記水平ガイドレール４に格納される様になっている。
【０００８】
前記開口部１の上方に空間があるので、該開口部１が完全に開放された状態で、前記パネル８が複数枚垂直ガイドレール３に残っている状態となる。
【０００９】
又、前記開口部１が閉じられる場合は、前記開閉装置７により前記巻取シャフト６を介して前記ドラム１３が逆方向に回転され、前記ワイヤ１４が繰出されて前記シャッタカーテン９が降下され、前記開口部１が閉じられる。
【００１０】
上記オーバヘッドドアに於いて、前記シャッタカーテン９が前記開口部１を開放した位置で、前記シャッタカーテン９の上昇を停止させる為の制動装置としてワイヤストッパが設けられる場合がある。
【００１１】
図８〜図１１に於いて、従来のワイヤストッパについて説明する。
【００１２】
シャッタカーテン９の所要位置のパネル８、例えば下から（先端側から）３段目のパネル８の側面に制動ピン１６を取付け、前記ワイヤ１４は前記制動ピン１６を経て最下段のパネル８に係着されている。
【００１３】
図８、図９により従来のワイヤストッパである制動ピン１６について説明する。
【００１４】
図中、１７は上下のパネル８，８を屈曲自在に連結する蝶番である。前記制動ピン１６は支持金具１８に固着され、該支持金具１８はＬ字状に屈曲され、パネル８の背面から側面に掛渡って前記パネル８に取付けられる。前記支持金具１８は前記蝶番１７と干渉しない位置に配置され、螺子、リベット等所要の固着具で前記パネル８に取付けられる。前記制動ピン１６の上端にはワイヤ外れ防止板１９が固着され、更に該ワイヤ外れ防止板１９と前記支持金具１８間には、前記制動ピン１６と所要の間隔を明け外れ防止螺子２１が螺着されている。
【００１５】
而して、前記支持金具１８と前記ワイヤ外れ防止板１９間、前記制動ピン１６と前記外れ防止螺子２１間を前記ワイヤ１４が挿通する。
【００１６】
図１０は、前記開口部１が開放された状態を示しており、前記制動ピン１６が前記ワイヤ１４を繰出し方向に撓ませており、該ワイヤ１４の張力と前記シャッタカーテン９の上昇力とが釣りあい、停止している状態である。
【００１７】
前記開口部１の開放の為、閉状態から前記シャッタカーテン９を上昇させると、慣性の為、図１０で示すバランス位置よりオーバランし、前記ワイヤ１４を更に撓ませる。該ワイヤ１４が撓むことで張力が増大し、前記シャッタカーテン９に対して制動力が発生する。
【００１８】
上記従来のワイヤストッパに於いて、前記シャッタカーテン９の上昇速度が大きくなった場合、更にオーバランする可能性がある。オーバランの大きさによっては、図１１に示される様に前記ワイヤ１４が更に撓まされ、下段のパネル８のガイドローラ１１に接触する場合があり、該ガイドローラ１１に過剰の負荷が掛る虞れがある。
【００１９】
又、制動ピン１６を設ける位置について、前記支持金具１８は前記蝶番１７と干渉しない位置にする必要があり、取付け上の制約から、全開位置の調整が困難であった。
【先行技術文献】
【特許文献】
【００２０】
【特許文献１】特開２００５−２８２１２６号公報
【発明の概要】
【発明が解決しようとする課題】
【００２１】
本発明は斯かる実情に鑑み、ガイドローラへの負担を防止し、パネルの開放位置の調整が可能なパネルシャッタを提供するものである。
【課題を解決するための手段】
【００２２】
本発明は、所要数のパネルを屈曲自在に連結して構成されたシャッタカーテンと、両端部に巻取ドラムが設けられ、バランススプリングにより巻取方向に付勢されたシャフトと、前記巻取ドラムに巻設され前記シャッタカーテンに係着されたワイヤとを有し、該ワイヤの巻取り、巻解しによって開口部を開閉するパネルシャッタに於いて、前記巻取ドラムはワイヤ巻取始端からワイヤ巻取終端に向って順次径が小さくなる大円錐台部と、該大円錐台部に連続する円柱部と、該円柱部に連続し、ワイヤ巻取終端に向って順次径が大きくなる小円錐台部とを有し、前記大円錐台部と前記円柱部と前記小円錐台部の周面に連続する溝が形成され、前記ワイヤが前記円柱部の巻取終端に位置する状態で、前記シャッタカーテンの開状態が維持される様構成したパネルシャッタに係るものである。
【００２３】
又本発明は、前記巻取ドラムは分割構造であり、前記円柱部が前記大円錐台部、又は前記小円錐台部のいずれか一方に形成されたパネルシャッタに係り、又前記巻取ドラムは分割構造であり、前記大円錐台部と前記円柱部、前記小円錐台部とに分割されたパネルシャッタに係り、又前記円柱部に取付け可能なワイヤストッパを更に有し、該ワイヤストッパはワイヤ巻取終端に向って順次径が大きくなるリング形状であり、前記円柱部に取付けた際には前記ワイヤストッパが小円錐台部を形成するパネルシャッタに係るものである。
【発明の効果】
【００２４】
本発明によれば、所要数のパネルを屈曲自在に連結して構成されたシャッタカーテンと、両端部に巻取ドラムが設けられ、バランススプリングにより巻取方向に付勢されたシャフトと、前記巻取ドラムに巻設され前記シャッタカーテンに係着されたワイヤとを有し、該ワイヤの巻取り、巻解しによって開口部を開閉するパネルシャッタに於いて、前記巻取ドラムはワイヤ巻取始端からワイヤ巻取終端に向って順次径が小さくなる大円錐台部と、該大円錐台部に連続する円柱部と、該円柱部に連続し、ワイヤ巻取終端に向って順次径が大きくなる小円錐台部とを有し、前記大円錐台部と前記円柱部と前記小円錐台部の周面に連続する溝が形成され、前記ワイヤが前記円柱部の巻取終端に位置する状態で、前記シャッタカーテンの開状態が維持される様構成したので、前記シャフトからの巻上げ力を前記小円錐台部により相殺することができ、前記パネルに負担をかけず、又先端部のパネルの開放位置を調節することで必要以上に巻上げられることがなくなり、所望の開放状態を保つことができる。
【００２５】
又本発明によれば、前記巻取ドラムは分割構造であり、前記円柱部が前記大円錐台部、又は前記小円錐台部のいずれか一方に形成されたので、先端部のパネルの開放位置を調整する際には前記円柱部が一体化された側の前記巻取ドラムを交換すればよく、該巻取ドラム自体を交換する必要がない為、作業者の負担を軽減できると共に、製造コストの削減を図ることができる。
【００２６】
又本発明によれば、前記巻取ドラムは分割構造であり、前記大円錐台部と前記円柱部、前記小円錐台部とに分割されたので、先端部のパネルの開放位置を調整する際には前記円柱部を交換すればよく、前記巻取ドラム自体を交換する必要がない為、作業者の負担を軽減できると共に、製造コストの削減を図ることができる。
【００２７】
更に又本発明によれば、前記円柱部に取付け可能なワイヤストッパを更に有し、該ワイヤストッパはワイヤ巻取終端に向って順次径が大きくなるリング形状であり、前記円柱部に取付けた際には前記ワイヤストッパが小円錐台部を形成するので、前記巻取ドラムが前記小円錐台部を有する必要がなく、又前記ワイヤストッパ自体が簡単な部材である為、先端部のパネルの位置調整が容易であると共にコストを大幅に削減でき、更に従来の巻取ドラムに対しても容易に実施可能であるという優れた効果を発揮する。
【図面の簡単な説明】
【００２８】
【図１】本発明のパネルシャッタの開放状態を示す側面図である。
【図２】本発明の第１の実施例に於けるドラムの要部拡大図であり、（Ａ）はパネルシャッタ閉鎖時に於けるドラムを示し、（Ｂ）はパネルシャッタ開放時に於けるドラムを示している。
【図３】本発明の第２の実施例に於けるドラムの要部拡大図であり、（Ａ）はドラムの分割状態を示し、（Ｂ）は（Ａ）とは形状の異なる円柱ドラムを有するドラムの分割状態を示している。
【図４】本発明の第２の実施例に於ける別形態のドラムの要部拡大図である。
【図５】本発明の他の実施例を示すドラムの要部拡大図であり、（Ａ）はワイヤストッパ装着前を示し、（Ｂ）はワイヤストッパ装着後を示している。
【図６】従来のパネルシャッタを示す斜視図である。
【図７】従来のパネルシャッタを示す側面図である。
【図８】従来のパネルシャッタの要部側面図である。
【図９】従来のパネルシャッタの要部背面図である。
【図１０】従来のパネルシャッタのワイヤストッパの側面図である。
【図１１】従来のパネルシャッタのワイヤストッパの説明図である。
【発明を実施するための形態】
【００２９】
以下、図面を参照しつつ本発明の実施例を説明する。
【００３０】
先ず、図１、図２に於いて本発明の第１の実施例について説明する。尚、図１、図２中、図６〜図１１中で示したものと同等のものには同符号を付してある。又、図２は、巻取シャフト６の左端部を示しているが、右端部についても同様な構成である。
【００３１】
ブラケット１２に前記巻取シャフト６が回転自在に支持され、該巻取シャフト６の両端部にはドラム１３が設けられ、該ドラム１３と前記巻取シャフト６とは一体に回転する。又、該ドラム１３にはワイヤ１４が巻付けられ、前記ドラム１３より繰出された前記ワイヤ１４がシャッタカーテン９の最下段のパネル８に係着されている。
【００３２】
前記巻取シャフト６には、バランススプリング１５（図６参照）が設けられ、該バランススプリング１５の回転力によって、前記ドラム１３を前記ワイヤ１４を巻取る方向に付勢している。
【００３３】
前記ドラム１３は一体成型又は機械加工により製造され、両端部に漸次径が太ってゆく円錐台部が形成された形状であり、前記ブラケット１２側（巻取始端部側）の大円錐台部２２、前記シャッタカーテン９中心側（巻取終端部側）の小円錐台部２３、前記大円錐台部２２及び前記小円錐台部２３の間にある円柱部２４から構成されている。又、前記ドラム１３の周面には、前記大円錐台部２２の大径側から前記小円錐台部２３の大径側迄連続するワイヤ係合溝２５が刻設され、該ワイヤ係合溝２５にワイヤ１４が入込み巻取られる様になっている。尚、前記大円錐台部２２は前記小円錐台部２３よりも大径が大きくなっている。
【００３４】
該ワイヤ１４は図２中、前記ドラム１３の左端に係着され、シャッタカーテン９が閉鎖状態である場合には、図２（Ａ）に示される様に、前記ワイヤ１４は巻解かれ、前記ドラム１３の左端より前記ワイヤ１４が垂下がっている。又、図示しない駆動装置によって前記ドラム１３が巻取方向に回転されると、前記ワイヤ１４が前記ワイヤ係合溝２５に順次入込んで巻取られ、前記ワイヤ１４によってパネル８が引上げられ、図２（Ｂ）に示される様に、前記ワイヤ１４が前記ドラム１３の右端迄巻取られると、最下段パネル８が開口部１よりも上方の開放位置迄引上げられ、前記シャッタカーテン９が開放状態となる。
【００３５】
前記ドラム１３は前記バランススプリング１５により前記ワイヤ１４を巻取る方向へ付勢されており、最下段のパネル８に係着された前記ワイヤ１４には上向きの張力が発生し、該張力と前記シャッタカーテン９の自重とがバランスする様に前記バランススプリング１５の力が設定されている。
【００３６】
前記シャッタカーテン９が閉鎖状態の場合には、前記ワイヤ１４が前記ドラム１３の左方、即ち図２中に於ける前記大円錐台部２２に存在し、前記バランススプリング１５は最も捩られ撓んだ状態であり、該バランススプリング１５による付勢力は最大となっている。前記シャッタカーテン９の自重と前記ワイヤ１４に作用する引上げ力は、常にバランスすることが好ましいので、前記大円錐台部２２の径は前記バランススプリング１５を巻解し方向に捩るに従って太くなり、前記ドラム１３の巻取径を大きくし、前記ワイヤ１４の張力の増大を抑制している。又、前記シャッタカーテン９の閉状態では、前記ワイヤ１４の位置は図２中に於ける前記大円錐台部２２の左端にあり、前記ワイヤ１４に作用する引上げ方向の張力に対し、前記シャッタカーテン９の重量の方が若干大きくなる様に設定されている。
【００３７】
又、前記シャッタカーテン９が開閉途中の場合には、前記ワイヤ１４が前記ドラム１３の中央、即ち前記円柱部２４に存在し、前記ドラム１３を１回転させる際の巻取径は小さくなり、又径変化もしない部分である。前記ワイヤ１４が前記円柱部２４にある状態では、前記バランススプリング１５の付勢力の変化と前記シャッタカーテン９が格納され自重が減少する割合はバランスしている。
【００３８】
更に、前記シャッタカーテン９が開放状態の場合には、図２中に於ける前記ワイヤ１４は前記円柱部２４の右端に位置し、複数のパネル８が前記水平レール４に格納され、パネル８の重量による前記ワイヤ１４に作用する下向きの張力が小さくなる。又、前記バランススプリング１５により付勢された引上げ力が弱まり、更に前記ドラム１３の径が大きくなることで前記ワイヤ１４に対して上向きに作用する張力が減少する。この時、最下段パネル８に作用する上向きの張力が前記シャッタカーテン９の重量とバランスし、最下段のパネル８が開放位置から更に上迄巻上げられることがなくなり、前記シャッタカーテン９は開放状態のまま維持される。
【００３９】
尚、該シャッタカーテン９の上昇速度が大きくなり、最下段のパネル８が開放位置よりオーバランした場合は、前記ワイヤ１４は前記小円錐台部２３に巻取られる。該小円錐台部２３では巻取径が増大するので、前記ワイヤ１４に作用する上向きの張力よりも前記シャッタカーテン９の自重の方が大きくなり、それ以上のオーバランが抑止され、更に前記ワイヤ１４は図２中に於ける前記円柱部２４の右端迄巻解され、最下段のパネル８が開放位置迄下降し、その状態で停止する。
【００４０】
上述の様に、パネル８に制動ピンを設けず、前記ドラム１３に前記大円錐台部２２の反対側、即ちワイヤ巻取終端部に前記小円錐台部２３を設けたことで、前記ワイヤ１４に作用する前記バランススプリング１５の付勢による上向きの張力を相殺させることができ、最下段のパネル８が開放位置よりも上迄巻上げられることがなくなり、所望の開放状態を保つことができる。
【００４１】
又、前記小円錐台部２３の径や前記円柱部２４の水平方向の長さが異なった前記ドラム１３を複数用意し、状況に応じて適宜選択することで、前記シャッタカーテン９の開放状態に於ける最下段のパネル８の位置を所望の位置に設定することができる。
【００４２】
更に、前記シャッタカーテン９の開放状態に於ける最下段のパネル８の位置を、前記ドラム１３にて設定する様にしたので、最下段のパネル８が開放位置よりもオーバランした場合であっても、ワイヤ１４が前記ガイドローラ１１に干渉することがなく、該ガイドローラ１１が損傷することがない。
【００４３】
次に、図３に於いて、本発明の第２の実施例について説明する。尚、図３中、図２中と同等のものには同符号を付し、その説明を省略する。
【００４４】
第２の実施例では、ドラム１３を３分割構造とし、該ドラム１３の水平方向の長さを調節可能としたものである。
【００４５】
該ドラム１３は、大円錐台ドラム２６と、円柱ドラム２７と、小円錐台ドラム２８とから構成され、前記大円錐台ドラム２６、前記円柱ドラム２７、前記小円錐台ドラム２８の周面には、それぞれワイヤ係合溝２５が刻設されている。
【００４６】
前記大円錐台ドラム２６は、中心に巻取シャフト６が貫通し、大径側に大円錐台部２２が形成され、小径側は円柱部２４の一部を形成すると共に半円柱形状の係合部２９が形成されている。又、前記円柱ドラム２７は長さＬを有し、一端には前記係合部２９と対称形状の半円柱である係合部３１が形成され、他端には該係合部３１と点対称の位置に該係合部３１と同形状の係合部３２が形成されている。又、前記小円錐台ドラム２８の小径側は前記円柱部２４の一部を形成すると共に前記係合部３２と対称形状の係合部３３が形成され、大径側には小円錐台部２３が形成されている。尚、前記巻取シャフト６は、前記大円錐台ドラム２６、前記円柱ドラム２７、前記小円錐台ドラム２８を貫通し、前記大円錐台ドラム２６、前記円柱ドラム２７、前記小円錐台ドラム２８は前記巻取シャフト６を介して一体化される（図３（Ａ）参照）。
【００４７】
前記係合部２９と前記係合部３１を係合させ、前記係合部３２と前記係合部３３を係合させることで、前記大円錐台ドラム２６と前記円柱ドラム２７と前記小円錐台ドラム２８との位置決めが行われ、更にネジ等の固着具により各係合部２９，３１，３２，３３同士が固着され、前記大円錐台ドラム２６と前記円柱ドラム２７と前記小円錐台ドラム２８とが連結される。連結された前記大円錐台ドラム２６と前記円柱ドラム２７と前記小円錐台ドラム２８は、前記大円錐台部２２、前記円柱部２４、前記小円錐台部２３を有するドラム１３を形成する。
【００４８】
この時、前記大円錐台ドラム２６と前記円柱ドラム２７と前記小円錐台ドラム２８の周面にそれぞれ刻設された前記ワイヤ係合溝２５は、前記大円錐台ドラム２６の大径側から前記小円錐台ドラム２８の大径側迄連続する様になっている。尚、前記ワイヤ係合溝２５の連続性を確する為、前記大円錐台ドラム２６、前記円柱ドラム２７、前記小円錐台ドラム２８を一体化した後に、前記ワイヤ係合溝２５を加工してもよい。
【００４９】
シャッタカーテン９の開閉を行う際には、第１の実施例と同様、ワイヤ１４が前記大円錐台ドラム２６に存在する場合には、バランススプリング１５の引上げ力の増大に応じて前記大円錐台ドラム２６の径が大きくなることで前記ワイヤ１４に作用する引上げ力の増大を抑制し、更に該引上げ力はシャッタカーテン９の自重よりも若干小さくなる様に設定されているので、前記シャッタカーテン９は閉鎖状態のまま維持される。
【００５０】
前記ワイヤ１４が前記円柱ドラム２７に存在する場合には、該円柱ドラム２７の径が小さいので、前記ワイヤ１４に作用する上向きの張力が大きくなり、且つ前記シャッタカーテン９の自重が前記大円錐台ドラム２６にある場合よりも小さくなるので、前記シャッタカーテン９の自重と前記ワイヤ１４の上向きの張力がバランスし、前記シャッタカーテン９を容易に上昇させることができる。
【００５１】
該シャッタカーテン９が開状態では、前記ワイヤ１４が前記円柱部２４の右端に位置し、前記シャッタカーテン９の自重と前記ワイヤ１４の上向きの張力がバランスし、開状態が維持される。
【００５２】
又、前記シャッタカーテン９がオーバランして前記ワイヤ１４が前記小円錐台ドラム２８に至った場合には、該小円錐台ドラム２８の径が前記円柱ドラム２７の径よりも大きくなるので、前記バランススプリング１５による引上げ力が該小円錐台ドラム２８によって相殺され、上向きの張力が減少し、パネル８重量が重くなり、前記シャッタカーテン９はオーバランした分だけ下降し、開放位置に戻される。
【００５３】
本実施例では、前記ドラム１３を前記大円錐台ドラム２６、前記円柱ドラム２７、前記小円錐台ドラム２８から構成される３分割構造としたことから、長さの異なる前記円柱ドラム（例えば図３（Ｂ）の２７′）を複数用意しておくことで、前記大円錐台ドラム２６と前記小円錐台ドラム２８を変更することなく前記シャッタカーテン９の開放状態に於ける最下段のパネル８の開放位置を調整することができる。
【００５４】
従って、設計の段階での設定位置と、実際に前記シャッタカーテン９を設置した際の開放状態に於ける最下段のパネル８の開放位置が異なり、所望の開放状態が得られなかった場合でも、前記円柱ドラム２７を長さの異なる前記円柱ドラム２７′に交換するだけで、現場で最下段のパネル８の位置を調節でき、更に前記円柱ドラム２７の水平方向の長さＬを変更することで、種々の開口高さのパネルシャッタに対応でき部品の共通化が図れ、製作コストの低減を図ることができる。又、作業時間を短縮できる。
【００５５】
尚、本実施例では、前記大円錐台ドラム２６と前記円柱ドラム２７を、前記係合部２９と前記係合部３１によって前記ワイヤ係合溝２５が連続する様位置決めと連結を行い、前記円柱ドラム２７と前記小円錐台ドラム２８を、前記係合部３２と前記係合部３３によって位置決めと連結を行ったが、各係合部の代りに、例えば前記係合部２９，３２の代りに連結面に円周に沿って４箇所に凸部を設け、前記結合部３１，３３の代りに連結面の前記凸部に対応する位置に凹部を設け、前記凸部と凹部とを嵌合させて位置決めと連結を行ってもよい。
【００５６】
又、本実施例の別の形態として、図４に示される様に、前記ドラム１３を前記大円錐台ドラム２６と、前記円柱ドラム２７及び前記小円錐台ドラム２８を一体化させた２分割構造としてもよい。
【００５７】
この場合、前記大円錐台ドラム２６と、長さの異なる調整ドラム３４を複数用意し、状況に応じて該調整ドラム３４を適宜選択することで、前記シャッタカーテン９の所望の開放状態を調節することができる。尚、前記円柱ドラム２７は前記大円錐台ドラム２６と一体化させてもよい。
【００５８】
又、更に別の形態として、図５に示される様に、前記ドラム１３に対して取付け可能なワイヤストッパ３５を別部材として設けてもよい。該ワイヤストッパ３５は一対の半割りのリング形状であり、周面には前記ドラム１３の先端側（巻取終端側）の径が大きくなる様段差が形成され、該段差にはワイヤ係合溝３６が刻設されている。又、前記ワイヤストッパ３５，３５の結合部の大径側にはフランジ３７，３７が形成されており、前記ワイヤストッパ３５，３５は前記フランジ３７，３７を介してボルト３８で締結できる様になっている。
【００５９】
前記ワイヤストッパ３５を取付けたことで、該ワイヤストッパ３５が小円錐台部を形成し、前記ドラム左方の大円錐台部３９と前記ワイヤストッパ３５との間で円柱部４１が形成される。従って、前記ワイヤストッパ３５の取付け位置で前記円柱部４１の水平方向の長さＬを調整でき、前記シャッタカーテン９の開口高さを調整できる。更に、前記ワイヤストッパ３５の内周面に前記円柱部４１のワイヤ係合溝２５に螺合する溝を形成し、前記ワイヤストッパ３５を回転させることで該ワイヤストッパ３５の位置が調整できる様にしてもよい。更に、この場合、該ワイヤストッパ３５は一体リングとし、前記ドラム１３に対し巻取終端側から螺入させる様にしてもよい。
【００６０】
前記ワイヤストッパ３５を使用する場合、従来の前記ドラム１３に対しても容易に適用可能であり、又取付け作業が容易であるので、作業者の労力を軽減でき、更に前記ワイヤストッパ３５は簡単な構造の部品であり、部品の共通化が図れ、コストの削減を図ることができる。
【符号の説明】
【００６１】
８              パネル
９              シャッタカーテン
１３            ドラム
１４            ワイヤ
２２            大円錐台部
２３            小円錐台部
２４            円柱部
２５            ワイヤ係合溝
２６            大円錐台ドラム
２７            円柱ドラム
２８            小円錐台ドラム
３４            調整ドラム
３５            ワイヤストッパ
３６            ワイヤ係合溝
３９            大円錐台部
４１            円柱部
【図１】
2011122372.tif 000003
【図２】
2011122372.tif 000004
【図３】
2011122372.tif 000005
【図４】
2011122372.tif 000006
【図５】
2011122372.tif 000007
【図６】
2011122372.tif 000008
【図７】
2011122372.tif 000009
【図８】
2011122372.tif 000010
【図９】
2011122372.tif 000011
【図１０】
2011122372.tif 000012
【図１１】
2011122372.tif 000013